(57)【要約】【課題】折り畳みが可能で収納性に資すると共に、軽量であって運搬性にも資し、かつ、飾られる平板状物を傷つけてしまう危険もなく、さらには、環境にも優しい平板状物立掛具の提供を図る。【解決手段】全体が厚紙により成形され、少なくとも一枚の正面板と二枚の側面板を有し、上方及び下方が開放された折り畳み可能な環状の枠体を構成する。側面板の前方端部には上方に向かって引掛片が備えられていると共に、側面板の上辺には所定中間位置から後方に向かって上り傾斜が設けられた構成となっている。【選択図】図２
0003179505.tif 000002
【実用新案登録請求の範囲】
【請求項１】
皿等の平板状物を立て掛けるための立掛具であって、
全体が厚紙により成形され、一枚の正面板と二枚の側面板とから成り、正面板の両端辺と側面板の前方辺とが折り曲げ可能に備えられ且つ二枚の側面板同士が後端辺において折り曲げ可能に備えられることで、上方及び下方が開放された三の折辺を備え、平面視において三角形状の折り畳み可能な環状の枠体を構成し、
側面板の前方端部には上方に向かって引掛片が備えられていると共に、側面板の上辺には所定中間位置から後方に向かって上り傾斜が設けられていることを特徴とする平板状物立掛具。
【請求項２】
皿等の平板状物を立て掛けるための立掛具であって、
全体が厚紙により成形され、一枚の正面板と二枚の側面板と一枚の背面板とから成り、正面板の両端辺と側面板の前方辺とが折り曲げ可能に備えられると共に背面板の両端辺と側面板の後端辺とが折り曲げ可能に備えられることで、上方及び下方が開放された四の折辺を備え、平面視において四角形状の折り畳み可能な環状の枠体を構成し、
側面板の前方端部には上方に向かって引掛片が備えられていると共に、側面板の上辺には所定中間位置から後方に向かって上り傾斜が設けられていることを特徴とする平板状物立掛具。
【請求項３】
前記側面板の上辺に設けられる上り傾斜の勾配角度が、所定中間点にて変化していることを特徴とする請求項１または請求項２に記載の平板状物立掛具。
【請求項４】
前記枠体に備えられる複数の折辺のうち少なくとも一の折辺において、該折辺に略直交する二本の平行な切り込みが設けられると共に該切り込み端にて枠体内側へ折り曲げ可能とすることで、該折り曲げ箇所が補強片として機能することを特徴とする請求項１または請求項２に記載の平板状物立掛具。
【考案の詳細な説明】
【技術分野】
【０００１】
本考案は、皿等の平板状物を立て掛けるための立掛具に関するものである。
【背景技術】
【０００２】
従来より、平板状物を立て掛けるための立掛具としては、皿を立て掛けるための「皿立て」が存在する。かかる従来の「皿立て」は、全体がプラスチック等の合成樹脂製から成るものが一般的であり、二枚の合成樹脂板の後端辺がヒンジ等により回動可能に接続され、かつ、各合成樹脂板の前方部に引掛片が設けられた構造となっている。
【０００３】
かかる従来の「皿立て」は、上記のような構造であるため、物品として嵩張って収納スペースを要すると共に重量的にも重いものであり、保管性・運搬性に問題を有するものであった。また、製造コストも高価であって、皿のノベルティとして無料で附属させるのには抵抗があると共に、当該「皿立て」自体が硬質であるため、飾られる皿が該「皿立て」と当接する箇所において傷が付いてしまう危険もあった。さらには、破損してゴミとして廃棄する場合に、ヒンジの金属部分と合成樹脂板とを分別する必要があると共に金属とプラスチックという不燃ゴミを廃棄することとなるため、環境的に課題を残すものであった。
【０００４】
また、従来における平板状物の立掛具としては、飾る対象たる平板状物を差し込み可能な溝が上面に掘られた構造の「台座」が存在する。かかる台座は、木製や金属製、合成樹脂製、ガラス製等種々の材質から成り、フォトフレームなどを立て掛けるものとして、世に広く普及している。
【０００５】
しかしながら、かかる「台座」は、「皿立て」同様、物品として嵩張って収納スペースを要すると共に重量的にも重いものであり、保管性・運搬性に問題を有するものであった。また、製造コストが高価な場合もあり、かつ、「台座」自体が硬質であるため、やはり飾られる平板状物が該「台座」と当接する箇所において傷が付いてしまう危険もあった。さらには、ゴミとして廃棄する場合に、金属やプラスチック、ガラスなど材質によっては不燃ゴミを廃棄することとなるため、環境的に課題を残すものであった。
【０００６】
したがって本出願人は、収納性や運搬性を考慮して軽量かつ省スペースを実現でき、かつ、低コストで製造することが可能であって環境にも配慮した、そのような平板状物を立て掛けるための立掛具を創作したいとの着想から、本考案を提案するに至ったものである。
【考案の開示】
【考案が解決しようとする課題】
【０００７】
本考案は、上記事情に鑑みてなされたものであり、折り畳みが可能で収納性に資すると共に、軽量であって運搬性にも資し、かつ、飾られる平板状物を傷つけてしまう危険もなく、さらには、環境にも優しい平板状物立掛具を提供することを課題としている。
【課題を解決するための手段】
【０００８】
このような課題を解決するために、請求項１に係る考案は、皿等の平板状物を立て掛けるための立掛具であって、全体が厚紙により成形され、一枚の正面板と二枚の側面板とから成り、正面板の両端辺と側面板の前方辺とが折り曲げ可能に備えられ且つ二枚の側面板同士が後端辺において折り曲げ可能に備えられることで、上方及び下方が開放された三の折辺を備え、平面視において三角形状の折り畳み可能な環状の枠体を構成し、側面板の前方端部には上方に向かって引掛片が備えられていると共に、側面板の上辺には所定中間位置から後方に向かって上り傾斜が設けられている構成となっている。
【０００９】
また、請求項２に係る考案は、皿等の平板状物を立て掛けるための立掛具であって、全体が厚紙により成形され、一枚の正面板と二枚の側面板と一枚の背面板とから成り、正面板の両端辺と側面板の前方辺とが折り曲げ可能に備えられると共に背面板の両端辺と側面板の後端辺とが折り曲げ可能に備えられることで、上方及び下方が開放された四の折辺を備え、平面視において四角形状の折り畳み可能な環状の枠体を構成し、側面板の前方端部には上方に向かって引掛片が備えられていると共に、側面板の上辺には所定中間位置から後方に向かって上り傾斜が設けられている構成となっている。
【００１０】
さらに、請求項３に係る考案は、前記側面板の上辺に設けられる上り傾斜の勾配角度が、所定中間点にて変化している構成を採用している。
【００１１】
そしてまた、請求項４に係る考案は、前記枠体に備えられる複数の折辺のうち少なくとも一の折辺において、該折辺に略直交する二本の平行な切り込みが設けられると共に該切り込み端にて枠体内側へ折り曲げ可能とすることで、該折り曲げ箇所が補強片として機能する構成を採用する。
【考案の効果】
【００１２】
本考案に係る平板状物立掛具によれば、全体が厚紙すなわち紙製であるため、軽量であって運搬性に資すると共に、折り畳み可能な構造となっているため、少ないスペースで収納が可能であって省スペースによる収納性にも資し、さらには、安価に製造することが可能であるといった、従来にない優れた効果を奏する。
【００１３】
また、本考案に係る平板状物立掛具によれば、全体が厚紙により成形されているため、飾られる対象たる平板状物を傷付けることなく、安心して飾ることが可能であると共に、廃棄する際に焼却ゴミとして廃棄可能であって、環境性にも優れた立掛具を提供することが可能である。
【図面の簡単な説明】
【００１４】
【図１】本考案に係る平板状物立掛具の実施形態を示す斜視図である。（実施例１）
【図２】本考案に係る平板状物立掛具の実施形態を示す斜視図である。（実施例２）
【図３】本考案に係る平板状物立掛具の使用態様を示す説明図である。（実施例３）
【考案を実施するための最良の形態】
【００１５】
以下、本考案に係る平板状物立掛具の実施形態について、図面を参照しながら説明する。
なお、本考案は、下記の実施形態に示した構成に特に限定されるものではなく、本考案の技術的思想の要旨に逸脱しない範囲で、任意に変更することができるものである。
【実施例１】
【００１６】
図１は、本考案の第一の実施例に係る平板状物立掛具１の実施形態を示す斜視図である。該平板状物立掛具１は、全体が厚紙により成形されており、一枚の正面板１０と二枚の側面板２０とから構成されている。厚紙の種類については特に限定はないが、正面板１０と側面板２０とで環状の枠体２を構成し且つその上に皿等の平板状物Ｄを載置した際に、少なくとも起立した状態を保持可能な強度を有するものである。
【００１７】
正面板１０の両端辺１１には、側面板２０が連続して備えられている。すなわち、該正面板１０の両端辺１１と側面板２０の前方辺２１とが繋がっており、かつ、その繋がった辺１１，２１にて折り曲げ可能となっている。
また、二枚の側面板２０同士は、その後端辺２２において繋がっており、かつ、その繋がった後端辺２２にて折り曲げ可能となっている。
なお、正面板１０・側面板２０の大きさ（高さ・長さ・幅）については特に限定はなく、載置される平板状物Ｄの大きさを考慮して、適宜決定される。
【００１８】
このように、一枚の正面板１０と二枚の側面板２０とが連続して繋がって備えられていることで、上方及び下方が開放された三の折辺１１，２１，２２を備え、平面視において三角形状の折り畳み可能な環状の枠体２が構成されることとなる。
なお、三角形状の環状の枠体２を折り畳んだ際に平板状とすべく、図示されてはいないが、正面板１０若しくは側面板２０における所定中間箇所において、さらに折り曲げ可能な構造を採用するか、あるいは、切り離すことができる構造を採用することとなる。
【００１９】
ところで、前記枠体２に備えられる折辺１１，２１，２２には、補強片２８を備える態様が好ましい。すなわち、図面に示すように、該折辺１１，２１，２２に略直交する二本の平行な切り込み２７が設けられると共に、該切り込み端２７ａにて枠体２内側へ折り曲げ可能とすることで、該折り曲げ箇所が補強片２８として機能する。
なお、該補強片２８は、一の枠体２に複数備わる折辺１１，２１，２２のうち、少なくとも一の折辺１１，２１，２２に備えられる。
【００２０】
側面板２０の前方端部には、上方に向かって引掛片２４が備えられている。該引掛片２４は、図面に示すように、その上端部にて後方に向け鉤形構造となっており、枠体２上に載置される平板状物Ｄの下端部を引掛け保持できる構造となっている。
【００２１】
また、側面板２０の上辺２５は、その所定の中間位置２５Ａから後方に向かって所定勾配の上り傾斜が設けられている。このとき、該上り傾斜の勾配角度については特に限定はなく、載置される平板状物Ｄのバランス等を考慮して、適宜決定される。このように、側面板２０の上辺２５に傾斜を設けることで、枠体２上に載置される平板状物Ｄの背面が該上辺２５に当接した状態で、該平板状物Ｄを斜めに保持可能な構造となっている。
【００２２】
このとき、前記側面板２０の上辺２５に設けられる上り傾斜の勾配角度について、図面に示すように、所定の中間点２５Ｂにて前方上辺２５ａと後方上辺２５ｂとで変化する態様が考え得る。かかる態様を採用することにより、平板状物Ｄの厚幅等を考慮して該平板状物Ｄの背面をどの勾配角度の上辺２５に当接させるかを選択することで、載置される平板状物Ｄによって異なった傾斜角にて斜めに保持することが可能となる。
なお、図面では、上辺２５に一の中間点２５Ｂを設けることで、前方上辺２５ａと後方上辺２５ｂとの二段階の勾配角度を備える態様について示しているが、該中間点２５Ｂを複数設けて複数段階の勾配角度を備えさせる態様も可能である。
【００２３】
以上の通り構成される本実施例にかかる平板状物立掛具１によれば、各折辺１１，２１，２２において折り曲げることで平板状に折り畳み可能であるため未使用時の収納性に資すると共に、全体が厚紙製であるため軽量かつ丈夫であって運搬性に資するものであり、また、飾られる対象たる平板状物を傷付けることなく安心して飾ることが可能であって、さらには、廃棄する際に焼却ゴミとして廃棄可能であって環境にも優しいものであるため、従来にはない優れた平板状物立掛具１を提供することが可能となる。
【実施例２】
【００２４】
図２は、本考案の第二の実施例に係る平板状物立掛具１の実施形態を示す斜視図である。該平板状物立掛具１は、全体が厚紙により成形されており、一枚の正面板１０と二枚の側面板２０と一枚の背面板３０とから構成されている。厚紙の種類については上記第一の実施例同様特に限定はないが、正面板１０と側面板２０と背面板３０とで環状の枠体２を構成し且つその上に皿等の平板状物Ｄを載置した際に、少なくとも起立した状態を保持可能な強度を有するものである。
【００２５】
正面板１０の両端辺１１には、側面板２０が連続して備えられている。すなわち、該正面板１０の両端辺１１と側面板２０の前方辺２１とが繋がっており、かつ、その繋がった辺１１，２１にて折り曲げ可能となっている。
また、背面板３０の両端辺３１にも、側面板２０が連続して備えられている。すなわち、該背面板３０の両端辺１１と側面板２０の後端辺２２とが繋がっており、かつ、その繋がった辺２２，３１にて折り曲げ可能となっている。
なお、正面板１０・側面板２０・背面板３０の大きさ（高さ・長さ・幅）については特に限定はなく、載置される平板状物Ｄの大きさを考慮して、適宜決定される。
【００２６】
このように、一枚の正面板１０と二枚の側面板２０と一枚の背面板３０とが連続して繋がって備えられていることで、上方及び下方が開放された四の折辺１１，２１，２２，３１を備え、平面視において四角形状の折り畳み可能な環状の枠体２が構成されることとなる。
なお、四角形状の環状の枠体２を折り畳む際に平板状とするには、対向する折辺同士を鋭角方向・鈍角方向に夫々折り曲げれば足りることとなるが、上記第一の実施例同様、正面板１０または側面板２０若しくは背面板３０における所定中間箇所において、さらに折り曲げ可能な構造を採用したり、あるいは、切り離すことができる構造を採用することも可能である。
【００２７】
なお、前記枠体２に備えられる折辺１１，２１，２２，３１に、補強片２８を備える態様が好ましいこと、並びに、該補強片２８を備えるための構造的態様については、上記第一の実施例と同様であるため説明を省略する。
また、側面板２０の前方端部に引掛片２４が備えられること、並びに、該引掛片２４を備えるための構造的態様についても、上記第一の実施例と同様であるため説明を省略する。
さらに、側面板２０の上辺２５に上り傾斜が設けられること、そして該上り傾斜の勾配角度が中間点２５Ｂで変化される場合についても、上記第一の実施例と同様であるため説明を省略する。
【００２８】
以上の通り構成される本実施例にかかる平板状物立掛具１によれば、各折辺１１，２１，２２，３１以外に折り曲げ可能な箇所や切り離し可能な箇所を設けることなく平板状に折り畳み可能であるため未使用時の収納性に資すると共に、全体が厚紙製であるため軽量かつ丈夫であって運搬性に資するものであり、また、飾られる対象たる平板状物を傷付けることなく安心して飾ることが可能であって、さらには、廃棄する際に焼却ゴミとして廃棄可能であって環境にも優しいものであるため、従来にはない優れた平板状物立掛具１を提供することが可能となる。
【実施例３】
【００２９】
図３は、上記第一及び第二の実施例に係る平板状物立掛具１の使用態様を示す説明図である。
図３（ａ）に示すように、皿等の厚幅が比較的厚い平板状物Ｄについては、側面板２０の上辺２５における前方上辺２５ａと平板状物Ｄの背面とを当接させることで、該平板状物Ｄの下端部が引掛片２４に引っ掛かって、丁度良い状態で平板状物Ｄを立て掛けることが可能である。
また、図３（ｂ）に示すように、鏡板等の厚幅が比較的薄い平板状物Ｄについては、側面板２０の上辺２５における後方上辺２５ｂと平板状物Ｄの背面とを当接させることで、該平板状物Ｄの下端部が引掛片２４に引っ掛かって、丁度良い状態で平板状物Ｄを立て掛けることが可能となる。
【００３０】
このように、側面板２０の上辺２５における上り傾斜の勾配角度を中間点２５Ｂにて変化させて、勾配の異なる前方上辺２５ａと後方上辺２５ｂとを設けることで、あらゆる厚幅の各種平板状物Ｄを安定的に立て掛けることが可能となる。
【産業上の利用可能性】
【００３１】
本考案にかかる平板状物立掛具１は、全体を厚紙により成形して折り畳み可能な構成となっていることから、運搬性及び収納性に資するとともに、廃棄処分時の環境性にも優れ、さらには、安全かつ安定的にあらゆる厚幅の平板状物Ｄを立て掛けることが可能であると共に、皿に限らずあらゆる平板状物Ｄを立て掛けることが可能であるため、本考案の産業上の利用可能性は大である。
【符号の説明】
【００３２】
１    平板状物立掛具
１０    正面板
１１    両端辺
２０    側面板
２１    前方辺
２２    後端辺
２４    引掛片
２５    上辺
２５Ａ  中間位置
２５Ｂ  中間点
２５ａ  前方上辺
２５ｂ  後方上辺
２７    切り込み
２７ａ  切り込み端部
２８    補強片
３０    背面板
３１    両端辺
Ｄ    平板状物
【図１】
0003179505.tif 000003
【図２】
0003179505.tif 000004
【図３】
0003179505.tif 000005